(57)【特許請求の範囲】
【請求項１】
光源からの光を導く導光板と、該導光板の前面側に配設された光学シートと、前記導光板及び光学シートの面内方向位置を規定すると共に、前記光学シートの前面の周縁部上に突出する押さえを有するフレームとを備えるバックライト装置において、
前記押さえは、前記光学シートが導光板の表面から浮き上がることを防止するように、前記光学シートの前面を弾性的に押圧する突起部を有し、
前記光学シートは、少なくとも１枚の光学シートから成り、該少なくとも１枚の光学シートのうちで最も前面側に配設された光学シートは、前記導光板の側面よりも外側に延在する周縁部を有し、該周縁部は前記導光板の側面を当該周縁部に接合した状態で覆うことを特徴とするバックライト装置。
【請求項２】
光源からの光を導く導光板と、該導光板の前面側に配設された光学シートと、前記導光板及び光学シートの面内方向位置を規定すると共に、前記光学シートの前面の周縁部上に突出する押さえを有するフレームとを備えるバックライト装置において、
前記押さえは、前記光学シートが導光板の表面から浮き上がることを防止するように、前記光学シートの前面を弾性的に押圧する突起部を有し、
前記導光板の背面側に配設された反射シートを更に備え、
前記光学シートは複数枚の光学シートから成り、該複数枚の光学シートのうちで最も前面側に配設された光学シートは、該光学シートの背面側の光学シートの側面及び前記導光板の側面よりも外側に延在する周縁部を有し、該周縁部により前記背面側の光学シートの側面及び前記導光板の側面を当該周縁部に接合した状態で覆い、
前記反射シートは、前記導光板の側面よりも外側に延在する周縁部を有し、該周縁部により前記導光板の側面を当該周縁部に接合した状態で覆うことを特徴とするバックライト装置。
【請求項３】
光源からの光を導く導光板と、該導光板の前面側に配設された少なくとも１枚の光学シートと、前記導光板及び光学シートの面内方向位置を規定すると共に、前記光学シートの前面の周縁部上に突出する押さえを有するフレームとを備えるバックライト装置において、
前記少なくとも１枚の光学シートのうちで最も前面側に配設された光学シートは、前記導光板の側面よりも外側に延在する周縁部を有し、該周縁部は前記導光板の側面を当該周縁部に接合した状態で覆うことを特徴とするバックライト装置。
【請求項４】
光源からの光を導く導光板と、該導光板の前面側に配設された複数枚の光学シートと、前記導光板及び光学シートの面内方向位置を規定すると共に、前記光学シートの前面の周縁部上に突出する押さえを有するフレームと、前記導光板の背面側に配設された反射シートとを備えるバックライト装置において、
前記複数枚の光学シートのうちで最も前面側に配設された光学シートは、該光学シートの背面側の光学シートの側面及び前記導光板の側面よりも外側に延在する周縁部を有し、該周縁部により前記背面側の光学シートの側面及び前記導光板の側面を当該周縁部に接合した状態で覆い、
前記反射シートは、前記導光板の側面よりも外側に延在する周縁部を有し、該周縁部により前記導光板の側面を当該周縁部に接合した状態で覆うことを特徴とするバックライト装置。
【請求項５】
前記突起部は、押さえと一体的に構成される、請求項１又は２に記載のバックライト装置。
【請求項６】
前記突起部は、前記押さえの延在方向に並ぶ複数の突起部から構成される、請求項１、２及び５のいずれか１項に記載のバックライト装置。
【請求項７】
前記突起部は、前記押さえが切り欠かれて形成されたフィンから成り、該フィンは、前記光学シート側に折り曲げられて該光学シートを押圧している、請求項１、２、５及び６のいずれか１項に記載のバックライト装置。
【請求項８】
前記フィンの形状が略Ｕ字状である、請求項７に記載のバックライト装置。
【請求項９】
前記押さえは樹脂材料で形成される、請求項１、２、５、６、７及び８のいずれか１項に記載のバックライト装置。
【発明の詳細な説明】
【技術分野】
【０００１】
本発明は、バックライト装置に関し、更に詳しくは、エッジライト型のバックライト装置に関する。
【背景技術】
【０００２】
バックライト式の液晶表示装置は、発光面を有するバックライト装置を備え、この発光面上に液晶表示パネルを配設している。発光面から出射された光を、液晶表示パネルが、マトリクス状に配列された画素ごとに光スイッチングを行うことによって、画像の表示を行っている。バックライト装置には、発光面の直下に光源を配設し、光源から出射した光が発光面の背面を直接に照射する直下型と、発光面の直下に導光板を設け、導光板の側面の外側に光源を配設し、光源から出射した光を導光板が発光面に導くエッジライト型とがある。エッジライト型のバックライト装置は、光源をバックライト装置の周縁部に配設できるので、薄型化に有利である。
【０００３】
図６は、従来のエッジライト型のバックライト装置について、発光面の周縁近傍を示す断面図である。バックライト装置１００では、一般的に、発光面１１の輝度やその均一性の向上を目的として、導光板１４の前面側に複数種の光学シート１３を積層している。光学シート１３及び導光板１４は、フレーム１２によって面内方向位置がそれぞれ規定され、光学シート１３は、フレーム１２に形成されたひさし状の押さえ２１によって、バックライト装置１００の前面側に飛び出さないように保持されている。バックライト装置１００では、発光面１１の周縁は、押さえ２１の内縁によって規定される。
【０００４】
押さえ２１の背面が光学シート１３を強く押え付けると、光学シート１３の移動が制限されるため、シワが発生するおそれがある。従って、押さえ２１の背面と光学シート１３との間には、符号１０１に示すように一定の間隔（クリアランス）が形成され、押さえ２１下部の壁面２２で規制される範囲内で、光学シート１３が面内方向に移動できるようにしている。
【０００５】
ところで、バックライト装置１００では、光学シート１３の周縁近傍に、バックライト装置１００内に残留したゴミや、部品間の擦れによって生じた削れカス等の異物が存在する。従って、クリアランスを経由して、これら異物が光学シート１３間や、光学シート１３と導光板１４との間に侵入する問題があった。光学シート１３間や、光学シート１３と導光板１４との間に異物が侵入すると、その異物の影が液晶表示装置の表示面に投影されるため、その表示品質が低下する。
【０００６】
上記に対して特許文献１は、押さえの背面に複数の突起を形成することを提案している。
【特許文献１】特開２００１−２１０１２８号公報（図１，２）
【発明の開示】
【発明が解決しようとする課題】
【０００７】
特許文献１によれば、突起が光学シートの前面に当接することによって、光学シートの浮き上がりを防止できるものとしている。しかし、同文献のバックライト装置では、各部品の寸法ばらつきや部品間の整合ばらつきによって、押さえと光学シートとの間隔にばらつきが生じ、突起と光学シートとの間に隙間が生じるおそれがあった。突起と光学シートとの間の隙間を防止するために、突起を高くすることも考えられるが、突起が高くなり過ぎると、光学シートの移動が制限されてシワが生じるおそれがある。
【０００８】
本発明は、上記に鑑み、フレームの押さえと光学シートとの間の間隔のばらつきに拘らず、光学シート間、又は、光学シートと導光板との間への異物の侵入を抑制可能なバックライト装置を提供することを目的とする。
【課題を解決するための手段】
【０００９】
上記目的を達成するために、本発明の第１の視点に係るバックライト装置は、光源からの光を導く導光板と、該導光板の前面側に配設された光学シートと、前記導光板及び光学シートの面内方向位置を規定すると共に、前記光学シートの前面の周縁部上に突出する押さえを有するフレームとを備えるバックライト装置において、
前記押さえは、前記光学シートが導光板の表面から浮き上がることを防止するように、前記光学シートの前面を弾性的に押圧する突起部を有し、
前記光学シートは、少なくとも１枚の光学シートから成り、該少なくとも１枚の光学シートのうちで最も前面側に配設された光学シートは、前記導光板の側面よりも外側に延在する周縁部を有し、該周縁部は前記導光板の側面を当該周縁部に接合した状態で覆うことを特徴とする。
また、本発明の第２の視点に係るバックライト装置は、光源からの光を導く導光板と、該導光板の前面側に配設された光学シートと、前記導光板及び光学シートの面内方向位置を規定すると共に、前記光学シートの前面の周縁部上に突出する押さえを有するフレームとを備えるバックライト装置において、
前記押さえは、前記光学シートが導光板の表面から浮き上がることを防止するように、前記光学シートの前面を弾性的に押圧する突起部を有し、
前記導光板の背面側に配設された反射シートを更に備え、
前記光学シートは複数枚の光学シートから成り、該複数枚の光学シートのうちで最も前面側に配設された光学シートは、該光学シートの背面側の光学シートの側面及び前記導光板の側面よりも外側に延在する周縁部を有し、該周縁部により前記背面側の光学シートの側面及び前記導光板の側面を当該周縁部に接合した状態で覆い、
前記反射シートは、前記導光板の側面よりも外側に延在する周縁部を有し、該周縁部により前記導光板の側面を当該周縁部に接合した状態で覆うことを特徴とする。
【００１０】
また、本発明の第３の視点に係るバックライト装置は、光源からの光を導く導光板と、該導光板の前面側に配設された少なくとも１枚の光学シートと、前記導光板及び光学シートの面内方向位置を規定すると共に、前記光学シートの前面の周縁部上に突出する押さえを有するフレームとを備えるバックライト装置において、
前記少なくとも１枚の光学シートのうちで最も前面側に配設された光学シートは、前記導光板の側面よりも外側に延在する周縁部を有し、該周縁部は前記導光板の側面を当該周縁部に接合した状態で覆うことを特徴とする。
【００１１】
更に、本発明の第４の視点に係るバックライト装置は、光源からの光を導く導光板と、該導光板の前面側に配設された複数枚の光学シートと、前記導光板及び光学シートの面内方向位置を規定すると共に、前記光学シートの前面の周縁部上に突出する押さえを有するフレームと、前記導光板の背面側に配設された反射シートとを備えるバックライト装置において、
前記複数枚の光学シートのうちで最も前面側に配設された光学シートは、該光学シートの背面側の光学シートの側面及び前記導光板の側面よりも外側に延在する周縁部を有し、該周縁部により前記背面側の光学シートの側面及び前記導光板の側面を当該周縁部に接合した状態で覆い、
前記反射シートは、前記導光板の側面よりも外側に延在する周縁部を有し、該周縁部により前記導光板の側面を当該周縁部に接合した状態で覆うことを特徴とする。
【発明の効果】
【００１２】
本発明の第１及び第２の視点に係るバックライト装置によれば、突起部が光学シートの前面を弾性的に押圧するので、押さえと光学シートとの間隔のばらつきに拘らず、突起部と光学シートとの間に隙間ができることを防止できる。これによって、光学シート間や、光学シートと導光板との間に異物が侵入することを効果的に抑制できる。
【００１３】
本発明の第１及び第２の視点に係るバックライト装置の好適な態様では、前記突起部は、押さえと一体的に構成されることによって、容易に形成できる。本発明の第１及び第２の視点に係るバックライト装置の好適な態様では、前記突起部は、前記押さえの延在方向に並ぶ複数の突起部から構成される。或いは、押さえの延在方向に沿って連続して形成される。押さえの延在方向に沿って光学シートの浮上りを抑制できる。突起部は、押さえと別個に構成して押さえに取り付けてもよい。
【００１４】
本発明の第１及び第２の視点に係るバックライト装置の好適な態様では、前記押さえ又は突起部は弾性を有する樹脂材料で形成される。突起部を押さえと一体的に構成する場合には、前記突起部は、前記樹脂材料が切り欠かれて形成されたフィンから成り、該フィンが、前記光学シート側に折り曲げられて該光学シートを押圧する構成も採用できる。フィンの形状は、例えばＵ字状、Ｖ字状、或いは、Ｗ字状である。
【００１５】
本発明の第１乃至第４の視点に係るバックライト装置によれば、最も前面側に配設された光学シートの周縁部が導光板の側面を当該周縁部に接合した状態で覆うことによって、光学シート間や、光学シートと導光板との間に異物が侵入することを抑制できる。
【００１６】
本発明の第２の視点に係るバックライト装置によれば、反射シートの周縁部が導光板の側面を当該周縁部に接合した状態で覆うことによって、第１の視点に係るバックライト装置で得られる効果に加え、反射シートと導光板との間に異物が侵入することを抑制できる。
本発明の第４の視点に係るバックライト装置によれば、反射シートの周縁部が導光板の側面を当該周縁部に接合した状態で覆うことによって、第３の視点に係るバックライト装置で得られる効果に加え、反射シートと導光板との間に異物が侵入することを抑制できる。
【発明を実施するための最良の形態】
【００１７】
以下に、図面を参照し、本発明の実施形態を詳細に説明する。図１は、本発明の第１実施形態に係るエッジライト型のバックライト装置について、周縁近傍の構成を示す断面図である。バックライト装置１０は、発光面１１の周縁を規定するフレーム１２を備える。発光面１１には、バックライト装置１０の前面側から、光学シート１３、導光板１４、及び、反射シート１５が順次に配設されている。
【００１８】
バックライト装置１０の周縁部には、導光板１４の側面に対向して、ランプ（冷陰極蛍光ランプ）１６が配設され、導光板１４の側面を除くランプ１６の周囲には、リフレクタ１７が配設されている。バックライト装置１０の背面にはリアカバー１８が配設されている。導光板１４は、フレーム１２及びリアカバー１８によって、その前面側及び背面側から保持されている。
【００１９】
ランプ１６から出射した光は、直接に、又は、リフレクタ１７での反射によって、導光板１４の側面に入射する。導光板１４は、ランプ１６から入射した光を面内に拡散して面光源に変え、反射シート１５は、導光板１４の背面側から出射した光を、バックライト装置１０の前面側に向けて反射する。光学シート１３は、順次に積層された複数種の光学シートからなり、発光面１１の輝度及び輝度の均一性を向上させる機能を有する。
【００２０】
フレーム１２は、光学シート１３の周縁部上に突出するひさし状の押さえ２１を有する。押さえ２１は、発光面１１の周縁に沿って形成され、その内縁が発光面１１の周縁を規定する。押さえ２１の下部には壁面２２が形成され、この壁面２２によって、光学シート１３の面内方向位置を規定している。押さえ２１の背面と光学シート１３の前面との間には、符号２６に示すように、一定の間隔（クリアランス）が形成されている。
【００２１】
押さえ２１の前面は、液晶表示パネルの周縁部を搭載する搭載面２３を構成している。搭載面２３の外縁には段差２４が形成され、この段差２４によって、液晶表示パネルの面内方向位置を規定している。フレーム１２は、押さえ２１を含め、樹脂のモールド成形によって一体的に形成されている。
【００２２】
図２（ａ）は、図１の矢視IIに沿って見た平面図であり、図２（ｂ）は、図２（ａ）のｂ−ｂ線に沿った断面を示す断面図である。図３は、図２（ａ）のIII−III線に沿った断面を示している。押さえ２１の面の一部は、搭載面２３の延在方向と平行に見て略Ｕ字状に切り欠かれ、略Ｕ字状のフィン２５に形成されている。フィン２５は、押さえ２１の本体に接続する付け根部分で光学シート１３側に折り曲げられ、その先端部が光学シート１３の前面を導光板１４側に押圧している。フィン２５は弾力性を有し、光学シート１３の前面を適度な圧力で押圧する。フィン２５は、押さえ２１の延在方向に沿って略均等な間隔で形成されている。
【００２３】
本実施形態では、フィン２５が光学シート１３の前面を導光板１４側に押圧することによって、光学シート１３が浮き上がることを防止している。フィン２５は、弾力性を有するので、押さえ２１と光学シート１３との間隔のばらつきに拘らず、光学シート１３を適度な圧力で押圧できる。従って、フィン２５と光学シート１３との間に隙間が生じることがなく、光学シート１３間、又は、光学シート１３と導光板１４との間に異物が侵入することを効果的に抑制できる。
【００２４】
なお、実施形態では、フィン２５を押さえ２１と一体的に構成したが、押さえ２１と別個に構成し、押さえ２１の背面に取り付けてもよい。また、フィン２５の延在方向が、搭載面２３の延在方向と直交するように形成してもよい。光学シート１３の前面を押圧する部材は、フィン２５に限らず、弾性部材であれば同様の効果を得ることが出来る。更に、実施形態では、フィン２５の形状を略Ｕ字状としたが、略Ｖ字状や略Ｗ字状にしてもよく、フィンの形状には限定されない。
【００２５】
図４は、本発明の第２実施形態に係るエッジライト型のバックライト装置について、周縁近傍の構成を示す断面図である。同図は、ランプが配設されていない部分を示している。バックライト装置３０は、押さえ２１近傍の構成が異なることを除いては、第１実施形態のバックライト装置１０と同様の構成を有している。押さえ２１の前面は、液晶表示パネルの周縁部を搭載する搭載面３１を構成している。搭載面３１の外縁には段差３２が形成され、この段差３２によって、液晶表示パネルの面内方向位置を規定している。
【００２６】
図５は、図４のＡ部を拡大して示す断面図である。複数の光学シート１３のうちで最も前面側の光学シート３３が、導光板１４の周縁よりも外側に延在する周縁部３４を有する。周縁部３４は、導光板１４の側面側に折り曲げられ、複数の光学シート１３の周縁、及び、導光板１４の前面側の側面を覆っている。反射シート１５も、導光板１４の周縁よりも外側に延在する周縁部３５を有する。周縁部３５は、導光板１４の側面側に折り曲げられ、その側面を覆っている。
【００２７】
本実施形態によれば、最も前面側の光学シートの周縁部３４が、複数の光学シート１３の周縁、及び、導光板１４の前面側の側面を覆うことによって、光学シート１３間、又は、光学シート１３と導光板１４との間に異物が侵入することを抑制できる。
【００２８】
なお、本実施形態のバックライト装置３０で、図１〜３に示したバックライト装置１０におけるフィン２５を更に配設してもよく、光学シート１３間、又は、光学シート１３と導光板１４との間に異物が侵入することをより効果的に抑制できる。また、光学シート３３と導光板１４の側面との間を接着剤や両面テープで接合することによって、光学シート１３と導光板１４との間に異物が侵入することをより効果的に抑制できる。
【００２９】
以上、本発明をその好適な実施形態に基づいて説明したが、本発明に係るバックライト装置は、上記実施形態の構成にのみ限定されるものではなく、上記実施形態の構成から種々の修正及び変更を施したバックライト装置も、本発明の範囲に含まれる。
【図面の簡単な説明】
【００３０】
【図１】本発明の第１実施形態に係るバックライト装置の構成を示す断面図である。
【図２】図２（ａ）は、図１の矢視IIに沿って見た平面図であり、図２（ｂ）は、図２（ａ）のｂ−ｂ線に沿った断面を示す断面図である。
【図３】図２（ａ）のIII−III線に沿った断面を示す断面図である。
【図４】本発明の第２実施形態に係るバックライト装置の構成を示す断面図である。
【図５】図４のＡ部を拡大して示す断面図である。
【図６】従来のエッジライト型のバックライト装置について、発光面の周縁近傍の構成を示す断面図である。
【符号の説明】
【００３１】
１０：バックライト装置
１１：発光面
１２：フレーム
１３：光学シート
１４：導光板
１５：反射シート
１６：ランプ
１７：リフレクタ
１８：リアカバー
２１：押さえ
２２：壁面
２３：搭載面
２４：段差
２５：フィン
２６：間隔
３０：バックライト装置
３１：搭載面
３２：段差
３３：光学シート
３４：光学シートの周縁部
３５：反射シートの周縁部
【図１】
0004796899.tif 000002
【図２】
0004796899.tif 000003
【図３】
0004796899.tif 000004
【図４】
0004796899.tif 000005
【図５】
0004796899.tif 000006
【図６】
0004796899.tif 000007